【事件の表示】
　特許第３３１７１８８号「化粧材」の請求項１ないし３に係る特許に対する特許異議の申立てについて、次のとおり決定する。
【結　論】
　特許第３３１７１８８号の請求項１、３に係る特許を取り消す。
　同請求項２に係る特許を維持する。
【理　由】
１．手続の経緯
　特許第３３１７１８８号の請求項１〜３に係る発明についての出願は、平成９年５月１５日に出願され、平成１４年６月１４日にその発明について特許の設定登録がされ、その後、その特許について、異議申立人大日本印刷株式会社より特許異議申立てがされ、請求項１、３に係る発明の特許に対して取消理由通知がされ、その応答期間内である平成１６年１１月１８日に意見書と共に訂正請求書が提出されたが、平成１６年１２月２４日に訂正請求の取下書が提出されたものである。　
２．異議申立て理由の概要
　特許異議申立人大日本印刷株式会社は、証拠方法として、甲第１号証（特開平８−１８８３号公報）、甲第２号証（特表平９−５０４５８４号公報）、甲第３号証（特開平５−１５６２１９号公報）、甲第４号証（特開平６−３１８６０号公報）、甲第５号証（特開昭６２−４７２８号公報）、甲第６号証（特開平５−２６９９１４号公報）、甲第７号証（特開平９−３００５５９号公報）及び参考資料１（実用プラスチック事典　編集委員会編「実用プラスチック事典　材料編」第４５頁　株式会社　産業調査会　１９９６年４月２０日）を提示し、（１）本件請求項１に係る発明は、甲第１号証及び甲第２号証に記載された発明であるから、特許法第２９条第１項の規定により特許を受けることができないものである、（２）本件請求項１〜３に係る発明は、甲第１〜６号証に記載された発明に基づいて、当業者が容易に発明をすることができたものであり、特許法第２９条第２項の規定により特許を受けることができないものである、（３）本件請求項１〜３に係る発明は、先願明細書である甲第７号証に記載された発明と同一であるから、特許法第２９条の２第１項の規定により特許を受けることができないものである、（４）本件は、特許請求の範囲において「第１プライマー層と、第２プライマー層とが、順次挟持されてなる」の記載では、各プライマー層が材質的に同種のものか、さらに異種のものなのか、さらに各プライマーがいかなる構成、作用、効果をもたらすものなのか特定されていない、また、第１プライマー層と、第２プライマー層との具体的な構成、関係等が示されていないため、発明の外延が不明確であるから、特許法第３６条４項及び第６項に規定する要件を満たしていないから特許を受けることができないものである、ので特許法第１１３条第２号及び第４号に規定に該当し取り消されるべきものである旨主張している。
３．本件発明
　本件特許の請求項１〜３に係る発明（以下、本件発明１〜３という）は、その特許請求の範囲の請求項１〜３に記載された事項により特定される次のとおりのものである。
【請求項１】１層以上のアイオノマー樹脂層が、アクリレート系共重合体樹脂を主成分とするバッカー層の上に積層されてなる化粧材において、前記アイオノマー樹脂層と、前記バッカー層との間に、第１プライマー層と、第２プライマー層とが、順次挟持されてなることを特徴とする化粧材。
【請求項２】前記第１プライマー層が、２液反応型ウレタン系樹脂を主成分とする樹脂であり、前記第２プライマー層が、エチレン−酢酸ビニル共重合体樹脂、オレフィン系樹脂、またはそれらの混合物を主成分とする樹脂であることを特徴とする請求項１に記載の化粧材。
【請求項３】前記第１プライマー層と、第２プライマー層との間に、絵柄層が挟持されてなることを特徴とする請求項１又は２に記載の化粧材。
４．本件発明１及び３について
　当審が通知した取消理由で引用した刊行物１（甲第２号証参照）には、床仕上材に関して、次の記載がされている。
ａ−１．「１．ポリマー組成物磨耗層を含んで成る弾性床仕上材であって、ポリマー組成物磨耗層がイオノマー樹脂及び多価重合性オレフィン化合物を含んで成ることを特徴とする弾性床仕上材。」（特許請求の範囲の請求項１）
ａ−２．「１２．以下の一連の順で積層されたフィルムのラミネートであることを特徴とする請求項１０又は１１のいずれか１項に記載の床仕上材：
（ａ）イオノマー樹脂及び多価重合性オレフィン化合物を含んで成る少なくとも１層の押出ポリマー組成物フィルム；
（ｂ）化粧層としての印刷模様層；
（ｃ）フェースプライ層（ｆａｃｅ　ｐｌｙ　ｌａｙｅｒ）；及び
（ｄ）裏地層。」（特許請求の範囲の請求項１２）
ａ−３．「１４．磨耗層を１層以上の下層に貼合せる工程を含み、前記磨耗層がイオノマー樹脂及び多価重合性オレフィン化合物を含んで成るポリマー組成物フィルムであることを特徴とする、積層弾性床仕上材の製造方法。・・・・・・・
１６．以下の順で配置された層が一段法で一つに熱的に貼合されることによって、床仕上材が形成されることを特徴とする、請求項１４又は１５のいずれか１項に記載の方法：
（ａ）磨耗層としての、イオノマー樹脂及び多価重合性オレフィン化合物を含んで成る少なくとも１層の押出ポリマー組成物フィルム；
（ｂ）装飾的に印刷された模様層；
（ｃ）フェースプライ層；及び
（ｄ）裏地層。
１７．ラミネートが、少なくとも１対の隣り合った層同士の間に配置された少なとも１層の接着剤中間層を更に含んで成ることを特徴とする請求項１４〜１６のいずれか１項に記載の方法。」（特許請求の範囲の請求項１４，１６及び１７）
ａ−４．「イオノマー樹脂は、オレフィン及びα，β−不飽和カルボン酸をベースとする熱可塑性コポリマーであり、前記カルボン酸基は金属カチオンとの塩形成によって少なくとも部分的に中和されている。オレフィンは・・・・好ましくはエチレンである。α，β−不飽和カルボン酸は・・・・好ましくはメタクリル酸である。このポリマーは、更に少量の１種以上の他の重合性オレフィンモノマーをベースとするものであってよく、例えば、アクリル酸又はメタクリル酸のエステルをベースとするものであってよい。金属カチオンは、例えばリチウム、ナトリウムであってよく、好ましくは亜鉛である。」（第６頁下から第６行〜第７頁第３行）
ａ−５．「磨耗層は１層のフィルム又は２層以上の一つに貼合わされたこのようなフィルムの２層以上から成っていてよい。２層以上のフィルムが使用される場合には、このようなフィルムは同一であっても異なっていてもよい。」（第８頁第１５〜１８行）
ａ−６．「磨耗層が透明又は半透明である場合には、本発明の床仕上材の化粧層は好ましい装飾模様で印刷されて・・・・よい。印刷層が使用される場合には、これは適切な種類の印刷可能な透明フィルム、例えばアクリル樹脂フィルム又はイオノマーフィルムをベースとするものであってよい。・・・・印刷模様層の印刷面は磨耗層に重ねられているか、又は磨耗層とは反対側にあってもよい。」 （第８頁第１９〜２６行）
ａ−７．「ポリマー組成物磨耗層及び化粧層は一つに接着される（貼り合わされる）ことを要する。・・・・本発明の方法の一態様において、磨耗層及び化粧層は熱（熱的）貼合わせにより一つに接着される。この態様は、化粧層がイオノマーフィルムである場合に概して有効であるが、・・・・本発明の他の態様において、磨耗層及び化粧層は接着剤中間層によって一つに接着される。・・・・後者の態様の一変形において、接着剤中間層は適切な液状接着剤の薄いフィルムであり、例えば液状ウレタン接着剤である。液状ウレタン接着剤は、・・・・好ましくは脂肪族イソシアネートをベースとするものである。」（第９頁第１〜１４行）
ａ−８．「接着剤層は、磨耗層と化粧層との間の均一な結合の形成と一致して可能な限り薄いことが好ましい。接着剤層は、約４〜４０μｍの厚さに対応する約５〜５０ｇ／ｍ２（乾燥フィルム重量）の割合で塗布される。後者の態様の他の変型において、接着剤中間層は、イオノマー樹脂磨耗層及び化粧層の両方に対して優れた貼合せ及び接着特性を有する押出フィルムである。・・・・押出中間フィルムは、例えば押出ポリウレタンフィルムであってよく、そして、ポリウレタン層に接着したポリエチレン層又は同様な材料の層を含む同時押出フィルムであることが好ましい。貼合せの際に、ポリエチレン層はイオノマー樹脂層に良好に接着し、そして、ポリウレタン層はアクリル樹脂層に良く接着する。」（第９頁第１４〜２６行）
ａ−９．「特に磨耗層が透明又は半透明である場合には、本発明の床仕上材は、磨耗層から遠い側にある化粧層に、好ましくは印刷模様層に隣接するフェースプライ層を含んで成ることが好ましい。・・・・フェースプライ層の材料は一般に、炭酸カルシウム又は酸化アルミニウム水和物のような充填剤で充填された熱可塑性ポリマー樹脂である。・・・・好適なポリマー樹脂の例には、エチレン／酢酸ビニル及びエチレン／アクリル酸アルキルコポリマーが含まれ、例えばアクリル酸メチル・・・・コポリマーが含まれる。」（第１０頁下から第２行〜第１１頁第９行）
ａ−１０．「接着剤中間層を、化粧層、好ましくは印刷模様層とフェースプライ層との間に挿入することが望ましい。この接着剤中間層は液状接着剤・・・・であってよく、例えば、上記したようなものと同様であってよい。」（第１１頁下から第３行〜第１２頁第１行）
ａ−１１．「本発明の床仕上材は、磨耗層に隣接する化粧層として機能する上記したような種類のフェースプライ層を代替的に含んでよい。このような場合には、フェースプライ層は、一般に１種以上の顔料を含む。磨耗層と化粧層との間の接着力は表面処理及び／又は接着剤中間層の使用により高められる。本発明の床仕上材は好ましくは更に裏地（下）層を更に含んでよい。・・・・裏地層の材料は一般に、炭酸カルシウム又は酸化アルミニウム水和物のような充填剤で充填され、そして好ましくはカーボンブラックのような黒色顔料・・・・を追加に含む熱可塑性ポリマー樹脂である。・・・・好適なポリマー樹脂の例には、・・・・エチレン／アクリル酸アルキルコポリマーが含まれ、例えば、アクリル酸メチル・・・・コポリマーが含まれる。」（第１２頁第４〜１７行）
ａ−１２．「実施例１　以下の一連のフィルムを一つに貼合せることにより床タイルを製造した：
（１）・・・・組成物が１００部のイオノマー樹脂当たり１５部のトリメチロールプロパントリメタクリレート・・・・を含む、厚さ１５０μｍの押出イオノマー樹脂組成物フィルム；
（２）（１）と同じイオノマー樹脂フィルム；
（３）厚さが７５μｍであることを除き、（１）と同じイオノマー樹脂フィルム；
（４）装飾的模様で印刷された厚さ７５μｍの押出アクリル樹脂フィルム；
（５）「Ｌｏｔｒｙｌ　１８ＭＡ０２」のもとにＥｌｆ　Ａｔｏｃｈｅｍから入手可能なエチレン／アクリル酸メチルコポリマー樹脂１００部、・・・・充填剤、・・・・から成る厚さ１ｍｍのフェースプライ；
（６）１００部のＬｏｔｒｙｌ　１８ＭＡ０２、・・・・充填剤およびカーボン ブラックから成る厚さ１ｍｍの裏地層。
（４）に接着される（３）の表面、及び（５）に接着される（４）の表面をコロナ放電にかけ、・・・・貼合わせ前に、処理表面を、・・・・液状脂肪族ウレタン接着剤で被覆した。このフィルムを・・・・加熱したロールの間に・・・・通過させることにより一つに貼合せ、次いで得られたラミネートを冷却ロール上に通過させ、そしてリール上に巻集めた。」（第１３頁下から第３行〜第１４頁下から第４行）
４−１．本件発明１について
　刊行物１の床仕上材には、上記摘示ａ−２及びａ−３の記載によれば、接着剤中間層を設けることができるから、（１）ポリマー組成物磨耗層／接着剤中間層／化粧層／接着剤中間層／フェースプライ層／裏地層の順でラミネートされた床仕上材が記載され、そして、上記ａ−１１の記載によれば、裏地層及び化粧層は省くことができるので、（２）ポリマー組成物磨耗層／接着剤中間層／化粧層／接着剤中間層／フェースプライ層の順でラミネートされた床仕上材、（３）ポリマー組成物磨耗層／接着剤中間層／フェースプライ層／裏地層の順でラミネートされた床仕上材、（４）ポリマー組成物磨耗層／接着剤中間層／フェースプライ層の順でラミネートされた床仕上材、の４つの態様が開示されているといえる。
　本件発明１の化粧材と刊行物１に記載された床仕上材を対比すると、刊行物１に記載された床仕上材は、本件発明１の化粧材の用途として記載している建築物の内装用の床タイルそのものであるから、両者は、化粧材で一致している。
４−１−１．刊行物１に記載された態様（２）の床仕上材との対比
　刊行物１に記載された態様（２）の「ポリマー組成物磨耗層／接着剤中間層／化粧層／接着剤中間層／フェースプライ層の順でラミネートされた床仕上材」における、イオノマー樹脂及び多価重合性オレフィン化合物を含んで成る押し出しポリマー組成物からなる磨耗層、接着剤中間層、及びフェースプライ層は、本件発明１における、アイオノマー樹脂層、プライマー層及びバッカー層に、それぞれ対応するから、両者は、「アイオノマー樹脂層が、バッカー層の上に積層されてなる化粧材において、アイオノマー樹脂層と、バッカー層との間に、第１プライマー層と第２プライマー層とが順次挟持されてなる化粧材」で一致するが、本件発明１では、バッカー層の材料が、「アクリレート系共重合体樹脂を主成分とする」ことが特定されているのに対して、刊行物１に記載された態様（２）の床仕上材では、フェースプライ層の材料は、充填材で充填された熱可塑性ポリマー樹脂と規定している点で相違する。
　この相違点について検討すると、刊行物１には、フェースプライ層の材料の熱可塑性ポリマー樹脂には、「好適なポリマー樹脂の例には、エチレン／酢酸ビニル及びエチレン／アクリル酸アルキルコポリマーが含まれる」と記載されている（ａ−９参照）から、エチレン／アクリル酸アルキルコポリマーを選定することは、当業者が容易になし得たことにすぎないと認められる。
　したがって、本件発明１は、刊行物１に記載された発明に基づいて当業者が容易に発明をすることができたものと認められる。
４−１−２．刊行物１に記載された態様（４）の床仕上材との対比
　刊行物１に記載された態様（４）の「ポリマー組成物磨耗層／接着剤中間層／フェースプライ層の順でラミネートされた床仕上材」における、イオノマー樹脂及び多価重合性オレフィン化合物を含んで成る押し出しポリマー組成物からなる磨耗層、接着剤中間層及びフェースプライ層は、本件発明１における、アイオノマー樹脂層、プライマー層及びバッカー層に、それぞれ対応するから、両者は、「アイオノマー樹脂層が、バッカー層の上に積層されてなる化粧材において、アイオノマー樹脂層と、バッカー層との間に、プライマー層が挟持されてなる化粧材」で一致するが、
（ｉ）本件発明１では、バッカー層の材料が、「アクリレート系共重合体樹脂を主成分とする」ことが特定されているのに対して、刊行物１に記載された態様（４）の床仕上材では、フェースプライ層の材料は、充填材で充填された熱可塑性ポリマー樹脂と規定している点、（ｉｉ）プライマー層が、本件発明１では、第１プライマー層と第２プライマー層と特定されているのに対して、刊行物１に記載された態様（４）の床仕上材では、接着剤中間層と規定している点で相違する。
　相違点（ｉ）について検討すると、上記「４−１−１．刊行物１に記載された態様（２）の床仕上材との対比」で述べた理由により、エチレン／アクリル酸アルキルコポリマーを選定することは、当業者が容易になし得たことにすぎないと認められる。
　次に相違点（ｉｉ）について検討すると、刊行物１には、接着剤中間層は、イオノマー樹脂磨耗層及び化粧層の両方に対して優れた貼合せ及び接着特性を有する押出フィルムであること、押出中間フィルムは、押出ポリウレタンフィルムであってよく、そして、ポリウレタン層に接着したポリエチレン層又は同様な材料の層を含む同時押出フィルムであることが好ましいこと、貼合せの際に、ポリエチレン樹脂層はイオノマー樹脂に良好に接着し、そして、ポリウレタン層はアクリル樹脂層に良く接着することが記載されているから、フェースプライ層の材料にエチレン／アクリル酸アルキルコポリマーのようなアクリル系樹脂を選定する場合に、接着剤中間層には、単一の樹脂材料ではなく、「ポリエチレン層及びポリウレタン層からなる同時押出フィルム」を採用することは、当業者が容易になし得たことにすぎないと認められる。
　そして、「ポリエチレン層及びポリウレタン層からなる同時押出フィルムからなる接着剤中間層」は、本件発明１における「第１プライマー層と第２プライマー層」の構成に一致するものである。
　したがって、本件発明１は、刊行物１に記載された発明に基づいて当業者が容易に発明をすることができたものと認められる。
４−２．本件発明３について
　刊行物１には、態様（２）の「ポリマー組成物磨耗層／接着剤中間層／化粧層／接着剤中間層／フェースプライ層の順でラミネートされた床仕上材」が記載されている。
　上記「４−１．本件発明１について」で述べたとおり、イオノマー樹脂及び多価重合性オレフィン化合物を含んで成る押し出しポリマー組成物からなる磨耗層、接着剤中間層、化粧層及びフェースプライ層は、本件発明３における、アイオノマー樹脂層、プライマー層、絵柄層及びバッカー層に対応するから、両者は、「アイオノマー樹脂層が、バッカー層の上に積層されてなる化粧材において、アイオノマー樹脂層と、バッカー層との間に、第１プライマー層と第２プライマー層とが順次挟持されてなる化粧材であって、第１プライマー層と第２プライマー層との間に絵柄層が挟持されている化粧材」で一致するが、本件発明３では、バッカー層の材料が、「アクリレート系共重合体樹脂を主成分とする」ことが特定されているのに対して、刊行物１に記載された態様（２）の床仕上材では、フェースプライ層の材料は、充填材で充填された熱可塑性ポリマー樹脂であると規定している点で相違する。
　この相違点は、上記「４−１−１．刊行物１に記載された態様（２）の床仕上材との対比」における相違点と同じであるから、上記「４−１．本件発明１について」で述べたとおり、フェースプライ層の材料の熱可塑性ポリマー樹脂として、エチレン／アクリル酸アルキルコポリマーを選定すること当業者が容易になし得たことにすぎないと認められる。
　したがって、本件発明３は、刊行物１に記載された発明に基づいて当業者が容易に発明をすることができたものと認められる。
４−３．本件発明２について
（１）申立理由（４）について
　特許請求の範囲の請求項２に係る発明（本件発明２）においては、「第１プライマー層が、２液反応型ウレタン系樹脂を主成分とする樹脂であり、第２プライマー層が、エチレン−酢酸ビニル共重合体樹脂、オレフィン系樹脂、またはそれらの混合物を主成分とする樹脂である」と各プライマー層が材質として特定されており、それぞれの関係、その作用、効果も明確であるから、本件は、特許法第３６条４項及び第６項に規定する要件を満たしていると認められる。
（２）申立理由（２）について
　甲第２号証には、上記「３．引用刊行物記載の発明」において示したとおりの発明が記載されている。
　そして、上記甲第２号証には、本件発明２における「第１プライマー層が、２液反応型ウレタン系樹脂を主成分とする樹脂であり、第２プライマー層が、エチレン−酢酸ビニル共重合体樹脂、オレフィン系樹脂、またはそれらの混合物を主成分とする樹脂である」とすることは記載されていない。
　また、この相違点に関して、甲第１号証及び甲第３号証〜甲第６号証には、アイオノマー樹脂とアクリレート系共重合体樹脂との間に、「第１プライマー層が、２液反応型ウレタン系樹脂を主成分とする樹脂であり、第２プライマー層が、エチレン−酢酸ビニル共重合体樹脂、オレフィン系樹脂、またはそれらの混合物を主成分とする樹脂である」という、特定の材料からなる第１プライマー層及び第２プライマー層が順次挟持されることを示唆する記載はない。
　そして、本件発明２は、１層以上のアイオノマー樹脂層が、アクリレート系共重合体樹脂を主成分とするバッカー層の上の積層されてなる化粧材において、アイオノマー樹脂層とバッカー層との間に、特定の材料からなる第１プライマー層と第２プライマー層を設けるという特定事項により、「第１プライマー層は、その含有する成分の作用によりアイオノマー樹脂と強固な接着を形成する一方、第２プライマー層は、その成分の樹脂は、第１プライマー層や通常インキの絵柄層との接着は勿論、バッカー層のアクリレート系共重合体との熱接着性にも優れるので、従来のポリ塩化ビニル樹脂製の化粧材と同一の熱ラミネーション法によって、安定した高い層間密着性を有する化粧材を安定的に製造することができる」（段落００４２）という、顕著な効果を奏するものであるから、本件発明２は、上記証拠に記載された発明に基づいて、当業者が容易に発明をすることができたものとすることはできない。
（３）申立理由（３）について
　甲第７号証には、「【請求項１】　ポリオレフィン系樹脂フイルム層とプライマー樹脂層と絵柄印刷層と熱接着性樹脂層と透明アクリル系樹脂フイルム層とが下から順に積層構成されてなる化粧シートにおいて、前記プライマー樹脂層が２液硬化型ウレタン樹脂からなり、前記熱接着性樹脂層が塩酢ビ−アクリル系樹脂からなることを特徴とする化粧シート。【請求項２】　前記プライマー樹脂層を構成する２液硬化型ウレタン樹脂層が、５μｍ以上の膜厚よりなることを特徴とする請求項１記載の化粧シート。【請求項３】　前記透明アクリル系樹脂フイルム層の上面にエンボス加工を施してエンボス凹部を形成し、更にワイピングにより該エンボス凹部に着色インキを充填し、しかるのちに艶調整樹脂層を設けたことを特徴とする請求項１〜２記載の化粧シート。【請求項４】　前記透明アクリル系樹脂フイルム層の上面に艶調整樹脂層と艶消し絵柄層を設けたことを特徴とする請求項１〜２記載の化粧シート。」（特許請求の範囲請求項１〜４）が記載されているが、該ポリオレフィン系樹脂フィルムとして、アイオノマー樹脂は具体的に記載されていない。そして、該化粧シートは、下から、ポリオレフィン系樹脂フィルム層／プライマー樹脂層／絵柄印刷層／熱接着性樹脂層／透明アクリル系樹脂フィルム層、の順で積層された化粧シートであるから、下から、アクリレート系共重合体樹／２液反応型ウレタン系樹脂第１プライマー層／エチレン−酢酸ビニル共重合体樹脂、オレフィン系樹脂、またはそれらの混合物を主成分とする樹脂第２プライマー層／アイオノマー樹脂層の順で積層されたことが特定されている本件発明２とは、アイオノマー樹脂層と積層順序の特定において、少なくとも相違している。
　したがって、本件発明２は、甲第７号証の先願明細書に記載された発明と同一のものとはいえない。
５．むすび
　以上のとおりであるから、本件請求項１及び３に係る発明は、上記刊行物１に記載された発明に基づいて、当業者が容易に発明をすることができたものであるから、本件請求項１及び３に係る特許は、特許法第２９条第２項の規定に違反してなされたものであり、同法第１１３条第２号に該当し、取り消されるべきものである。
　また、特許異議申立の理由及び証拠によっては、本件請求項２に係る特許を取り消すことはできない。
　また、他に本件請求項２に係る特許を取り消すべき理由を発見しない。
　よって、結論のとおり決定する。
【異議決定日】
平成１７年１月１７日（２００５．１．１７）